(57)【要約】【課題】椅子に着座する使用者の着座姿勢を容易且つ安価に想定することができる椅子における着座姿勢想定装置を提供すること。【解決手段】着座センサ１８は検知電極１３間の静電容量を測定し、静電容量の測定値と予め設定した設定値とを比較することにより、着座状態もしくは離席状態とを出力するものであって、着座センサ１８を椅子１の座面１２と背面１１とに複数設けることにより、使用者の着座姿勢を想定する。【選択図】図３
2010233614.tif 000002
【特許請求の範囲】
【請求項１】
使用者の着座状態もしくは離席状態を一対の検知電極により検知する着座センサを備える椅子において、
前記着座センサは前記検知電極間の静電容量を測定し、該静電容量の測定値と予め設定した設定値とを比較することにより、着座状態もしくは離席状態とを出力するものであって、
前記着座センサを前記椅子の座面と背面とに複数設けることにより、使用者の着座姿勢を想定することを特徴とする椅子。
【請求項２】
前記着座センサは、前記座面の前後方向と前記背面の上下方向とに複数並設されていることを特徴とする請求項１に記載の椅子。
【請求項３】
前記着座センサは、前記座面と前記背面との左右方向に複数並設されていることを特徴とする請求項１または２に記載の椅子。
【請求項４】
前記背面は、前後方向に揺動可能に枢支され、複数の前記着座センサと、前記背面の揺動角度を検知する揺動検知手段と、に基づいて使用者の着座姿勢を想定することを特徴とする請求項１ないし３のいずれかに記載の椅子。
【請求項５】
想定された着座姿勢の情報を記憶する記憶手段を備えることを特徴とする請求項１ないし４のいずれかに記載の椅子。
【請求項６】
前記記憶手段に記憶されている着座姿勢の情報を、外部に設けられた受信器に送信する送信器を有することを特徴とする請求項５に記載の椅子。
【発明の詳細な説明】
【技術分野】
【０００１】
本発明は、使用者の着座状態もしくは離席状態を一対の検知電極により検知する着座センサを用いて使用者の着座姿勢を想定する椅子における着座姿勢想定装置に関する。
【背景技術】
【０００２】
従来、椅子の着座面部（座部）と背凭れ面部（背凭れ）とに、着座面部と背凭れ面部とにかかる圧力を測定するための圧力測定手段を複数設け、人体（使用者）が着座することにより圧力測定手段によって測定した圧力値を用いて人体の着座部と背凭れへの着座状態を評価する着座状態評価装置がある（例えば、特許文献１参照）。
【先行技術文献】
【特許文献】
【０００３】
【特許文献１】特開２００４−８５４３５号公報（第４頁、第１図）
【発明の概要】
【発明が解決しようとする課題】
【０００４】
しかしながら、特許文献１にあっては、圧力測定手段を椅子の着座面部（座部）と背凭れ面部（背凭れ）とに取り付ける必要がある上、機械的接触を検知することにより圧力測定を行っているために設置コストが嵩んでしまうという問題があった。
【０００５】
本発明は、このような問題点に着目してなされたもので、椅子に着座する使用者の着座姿勢を容易且つ安価に想定することができる椅子における着座姿勢想定装置を提供することを目的とする。
【課題を解決するための手段】
【０００６】
前記課題を解決するために、本発明の請求項１に記載の椅子における着座姿勢想定装置は、
使用者の着座状態もしくは離席状態を一対の検知電極により検知する着座センサを備える椅子において、
前記着座センサは前記検知電極間の静電容量を測定し、該静電容量の測定値と予め設定した設定値とを比較することにより、着座状態もしくは離席状態とを出力するものであって、
前記着座センサを前記椅子の座面と背面とに複数設けることにより、使用者の着座姿勢を想定することを特徴としている。
この特徴によれば、簡易な構成の着座センサ一種類のみを座面と背面とに設けることで、安価に椅子に着座する使用者の着座姿勢の想定を行うことができる。また、例えば、椅子の座面に載置する座布団や背面に取り付けられるクッション等に着座センサを備え、その着座センサを取り外して他の椅子に用いることで、他の椅子でも容易に着座姿勢を想定することができる。
【０００７】
本発明の請求項２に記載の椅子における着座姿勢想定装置は、請求項１に記載の椅子であって、
前記着座センサは、前記座面の前後方向と前記背面の上下方向とに複数並設されていることを特徴としている。
この特徴によれば、椅子に着座している使用者の姿勢の前後方向の偏りを検知することができるので、例えば、使用者が座面にどの程度深く腰掛けているかや、背面にどの程度凭れかかっているか等の着座姿勢をより細かく想定することができる。
【０００８】
本発明の請求項３に記載の椅子における着座姿勢想定装置は、請求項１または２に記載の椅子であって、
前記着座センサは、前記座面と前記背面との左右方向に複数並設されていることを特徴としている。
この特徴によれば、椅子に着座している使用者の姿勢の左右方向の偏りを検知することができるので、例えば、使用者が足を組んでいるか等の着座姿勢をより細かく想定することができる。
また、着座センサを座面の前後方向と前記背面の上下方向とを組み合わせて複数並設させることによって、使用者が椅子に継続して着座し続けることによる姿勢の変化を測定することができる。
【０００９】
本発明の請求項４に記載の椅子における着座姿勢想定装置は、請求項１ないし３のいずれかに記載の椅子であって、
前記背面は、前後方向に揺動可能に枢支され、複数の前記着座センサと、前記背面の揺動角度を検知する揺動検知手段と、に基づいて使用者の着座姿勢を想定することを特徴としている。
この特徴によれば、背面の角度を変更可能であるリクライニングチェアー等であっても、着座している使用者の着座姿勢を想定することができる。
【００１０】
本発明の請求項５に記載の椅子における着座姿勢想定装置は、請求項１ないし４のいずれかに記載の椅子であって、
想定された着座姿勢の情報を記憶する記憶手段を備えることを特徴としている。
この特徴によれば、着座姿勢の想定状況を常時監視していなくても、着座センサを用いた着座姿勢の検知終了後に、着座姿勢の情報が記憶された記憶手段を用いることで解析等の作業を行うことができる。
【００１１】
本発明の請求項６に記載の椅子における着座姿勢想定装置は、請求項５に記載の椅子であって、
前記記憶手段に記憶されている着座姿勢の情報を、外部に設けられた受信器に送信する送信器を有することを特徴としている。
この特徴によれば、受信器で受信した着座姿勢情報を椅子から離れた場所で着座姿勢の状態を監視することができるとともに、着座姿勢の監視を継続しながら解析等の作業を行うことができる。
【図面の簡単な説明】
【００１２】
【図１】実施例における着座姿勢想定装置が適用された椅子を示す斜視図である。
【図２】着座センサの動作を示す概念図である。
【図３】（ａ）は、浅く腰掛けた状態を示す図であり、（ｂ）は、深く腰掛けた状態を示す図であり、（ｃ）は、足を組んだ状態を示す図であり、（ｄ）は、背凭れを倒した状態を示す図である。
【図４】着座姿勢想定装置の構成を示すブロック図である。
【図５】着座姿勢記憶テーブルを示す図である。
【図６】椅子制御回路及び解析制御回路で実行される着座姿勢検知処理のフローチャートである。
【発明を実施するための形態】
【００１３】
本発明に係る椅子における着座姿勢想定装置を実施するための形態を実施例に基づいて以下に説明する。
【実施例】
【００１４】
実施例に係る椅子につき、図１から図６を参照して説明する。以下、図２における紙面下方側を椅子の正面側とし、上方側を椅子の背面側とする。同じく図２における紙面左右方向を椅子の左右方向として説明する。先ず図１の符号１は、本発明の適用された椅子である。この椅子１は、図１に示すように、床面を移動可能なキャスター１ａを備えた脚柱１ｂと、この脚柱１ｂの上端部に取り付けられた、使用者が着座する座部１ｃと、座部１ｃの後部から上方に向かって延設された背凭れ１ｄと、から構成されている。
【００１５】
尚、本実施例における椅子１の背凭れ１ｄは、座部１ｃの後部で枢支されており、床面に対して略垂直をなす通常状態から椅子１の背面側に向けて所定の角度をなして揺動可能となっている。加えて、座部１ｃと背凭れ１ｄとの間には図示しないバネが取り付けられており、背凭れ１ｄを正面側に向けて付勢している。このため、使用者は着座した状態から背凭れ１ｄに凭れかかることで、椅子１をリクライニングチェアーとして使用することができるとともに、使用者が上体を起こすことで、背凭れ１ｄを図示しないバネの付勢により自動的に通常状態に戻すことができるようになっている。
【００１６】
この椅子１の座部１ｃの上部には、使用者が着座する際に座面を臀部の下に敷くクッション１２が敷設されている。また、背凭れ１ｄには、使用者が着座する際に背面使用者の背中に当接するクッション１１が設けられている。これらクッション１１とクッション１２内には、ウレタン材が内蔵されている。更に、クッション１１内のウレタン材の背面とクッション１２の上面には、図１及び図２に示すように、一対の検知電極１３（センサ電極とＧＮＤ電極）が貼り付けられており、その周りはクッション１１，１２のクロスで被覆されている。
【００１７】
尚、本実施例におけるクッション１２の座面とは、使用者が着座する際に臀部が当接するクッション１２の上面を指し、クッション１１の背面とは、使用者が着座する際に背中が当接するクッション１１の正面を指す。そして、これら検知電極１３は、例えば、電気抵抗が極めて低く、薄くて柔軟で、使用者が着座しても違和感無く座り心地に影響しない折曲げ強度の高いニッケル・銅被覆ポリエステル織布等により構成されている。
【００１８】
このうち、クッション１２の座面に貼り付けられた検知電極１３は、一対毎に前後方向に３つ、左右方向に２つの計６つがマトリクス状に並設されている。一方、クッション１１の背面に貼り付けられた検知電極１３は、一対毎に上下方向に３つ、左右方向に２つの計６つが、クッション１２の座面に貼り付けられた検知電極１３と同じくマトリクス状に並設されている。そして、本実施例では、これら複数の検知電極１３の集合体を着座センサ１８と定義する。
【００１９】
また、図１に示すように、背凭れ１ｄの基部には、背凭れ１ｄの通常状態を０度として、背凭れ１ｄの背面側への揺動角度を測定する本発明における揺動測定手段としての角度センサ１０が取り付けられている。
【００２０】
椅子１の側部には、図１に示すように、椅子１での各種制御を実行するための制御ボックス２２が設けられている。この制御ボックス２２内には、図４に示すように、着座センサ１３からの測定信号や角度センサ１０からの揺動角度測定値信号に基づいて着座姿勢の情報を集積し、この着座姿勢の情報を後述する記憶部１５及び送信器１６に送信する計測制御回路１４と、この計測制御回路１４からの着座姿勢の情報を記憶する着座姿勢記憶テーブル（図５参照）が記憶されている本発明における記憶手段としての記憶部１５と、記憶部１５に記憶された着座姿勢の情報を後述する受信器７に向かって無線通信により送信する送信器１６と、現在時刻を計時するＲＴＣ（リアルタイムクロック）２３と、が内蔵されている。これら記憶部１５と送信器１６と、各検知電極１３と角度センサ１０とは、この計測制御回路１４に接続されている。
【００２１】
計測制御回路１４には、特に図示しないが、検知電極１３間にかけるための高周波交流電圧を発生させる発振回路と、検知電極１３間に流れる電流を平滑化するための平滑回路と、検知電極１３間で検知された静電容量を設定値と比較する比較器と、を備えている。
【００２２】
尚、着座姿勢記憶テーブルの一部について詳述すると、図５に示すように、この着座姿勢記憶テーブルには、新たな着座姿勢を判定した時刻としての現在時刻と、後述する各検知電極１３の接触・非接触と、角度センサ１０によって測定される背凭れ１ｄの揺動角度と、が関連付けられて記憶されており、時間の経過とともに計測制御回路１４に新たな信号が入力される毎に、現在時刻と、各検知電極１３の使用者の接触・非接触と、揺動角度と、が各項目に追加記憶されるようになっている。
【００２３】
加えて、制御ボックス２２内には、計測制御回路１４と検知電極１３とに給電を行うバッテリ１７が内蔵されており、このバッテリ１７が計測制御回路１４に接続されることによって、検知電極１３間に電圧をかけられるようになっている。
【００２４】
尚、人体は１００ｐＦのコンデンサと１．５ｋΩの抵抗を直列に接続したものとしてモデル化されることが知られている。このため、使用者が椅子３に着座することでクッション１２のクロスや衣服等を介して接触すると、図３に示すように、使用者自身がコンデンサＣとして振る舞い、クッション１２の座面とクッション１１の背面とに配置された各検知電極１３間の静電容量が変化する。
【００２５】
このとき、計測制御回路１４は、人体と検知電極１３との間にクッション１２のクロスや衣服等が介在することによる静電容量の低下や、計測制御回路１４と配線と検知電極１３自身が有する静電容量の増加を考慮して、例えば、設定値を３０ｐＦ〜５０ｐＦ程度に設定している。この設定値を超える静電容量が検知電極１３間で測定値として測定されることによって、計測制御回路１４は、設定値を超える静電容量が測定された検知電極１３において使用者が接触したと判断するようになっている。
【００２６】
反対に、検知電極１３間で測定される静電容量が設定値未満となる場合には、計測制御回路１４は設定値未満の静電容量が測定された検知電極１３において使用者が接触していない（非接触）と判断するようになっている。
【００２７】
また、図１及び図４に示すように、制御ボックス２２の送信器１６の通信可能範囲内には、例えばパーソナルコンピュータ等の解析装置１９が設けられている。この解析装置１９は、制御ボックス２２から送信されてきた着座姿勢の情報を基に着座姿勢の想定と各種解析とを行う解析制御回路２０と、解析装置１９で解析を行うための各種プログラム等の記憶及び解析結果のデータを保存する記憶部２１と、制御ボックス２２内の送信器１６から送信された着座姿勢の情報を受信することでデータの収集を行う受信器７と、で構成されている。
【００２８】
そして、解析制御回路２０は、各検知電極１３での接触・非接触と、角度センサ１０で測定された背凭れ１ｄの揺動角度と、の組合せによって使用者の着座姿勢を想定するようになっている。具体的には、図３（ａ）に示すように、クッション１２の前部と中央部との検知電極１３が使用者の接触を検知しているとともに、クッション１１のいずれの検知電極１３も使用者の接触を検知しておらず、且つ、角度センサ１０が揺動角度０度を測定した着座姿勢の情報を受信器７が受信した場合には、解析制御回路２０は、浅く腰掛けた状態だと想定する。
【００２９】
また、図３（ｂ）に示すように、クッション１２とクッション１１との全ての検知電極１３が使用者の接触を検知しているとともに、角度センサ１０が例えば１０度程度の僅かな揺動角度を測定した着座姿勢の情報を受信器７が受信した場合には、解析制御回路２０は、深く腰掛けた状態だと想定する。
【００３０】
更に、図３（ｃ）に示すように、クッション１２の前部と中央部の右と後部左右との検知電極１３とが使用者の接触を検知しているとともに、クッション１１の下段部左右の検知電極１３が使用者の接触を検知しており、且つ、角度センサ１０が揺動角度０度を測定した着座姿勢の情報を受信器７が受信した場合には、解析制御回路２０は、足を組んだ状態だと想定する。
【００３１】
そして、図３（ｄ）に示すように、クッション１２の前部左右と中央部左右との検知電極１３が使用者の接触を検知しているとともに、クッション１１の中央段左右の検知電極１３が使用者の接触を検知しており、且つ、角度センサが例えば２０度程度の大きな揺動角度を測定した着座姿勢の情報を受信器７が受信した場合には、解析制御手段１９は、背凭れを倒した状態だと想定する。
【００３２】
尚、特に図示しないが、いずれの検知電極１３でも使用者の接触が検知されない場合には、解析制御回路２０は、椅子１に使用者が着座していないと判断し、少なくとも１つでも使用者の接触を検知する検知電極１３があれば、計測制御回路１４は、椅子１に使用者が着座していると判断して、前述したように着座姿勢を想定する。
【００３３】
更に尚、本実施例では、前述の４つの着座姿勢を例に説明しているが、各検知電極１３での使用者の接触及び非接触の検知と、角度センサ１０で測定された背凭れ１ｄの揺動角度と、の組合せによって想定される着座姿勢は、前述の４つ以外にも想定されることは勿論である。
【００３４】
本実施例では、解析装置１９では、受信器７からの着座姿勢の情報と椅子１の形態や検知電極１３の貼付方式、すなわち着座センサ１８の形態に基づき使用者の着座姿勢を想定するとともに、ＲＴＣ２３の計時によって着座時間内に使用者がどの様に着座姿勢を変化させたかを解析する。そして、解析結果を記憶部２１に記憶させてデータを保存しておく。
【００３５】
以降、計測制御回路１４と解析制御回路２０とが実行する着座姿勢検知処理を、図６に示すフローチャートに基づいて説明する。
【００３６】
先ず、Ｓａ０１のステップにおいて、計測制御回路１４は、クッション１１，１２の全ての検知電極１３間の静電容量を測定し、この静電容量の測定値と比較器によって設定した静電容量の設定値（閾値）とを比較することによって、各検知電極１３における使用者の検知と被検知とを判定する。そして、Ｓａ０２のステップにおいて、角度センサ１０の揺動角度を測定してＳａ０３のステップに進む。
【００３７】
Ｓａ０３のステップにおいて、計測制御回路１４は、図５に示す着座姿勢記憶テーブルを参照して前回の各検知電極１３の接触・被接触及び揺動角度と、今回の各検知電極１３の接触・非接触及び揺動角度と、を比較してＳａ０４のステップに進む。
【００３８】
Ｓａ０４のステップにおいて、計測制御回路１４は、Ｓａ０３で行った前回の各検知電極１３の接触・被接触及び揺動角度と、今回の各検知電極１３の接触・非接触及び揺動角度と、の比較に基づいて、前回の各検知電極１３の接触・被接触及び揺動角度と、今回の各検知電極１３の接触・非接触及び揺動角度と、が同一か否かを判定する。前回の各検知電極１３の接触・非接触及び揺動角度と、今回の各検知電極１３の接触・非接触及び揺動角度と、が同一であれば今回の処理を終了してＳａ０１のステップに戻り、前回の各検知電極１３間での接触・非接触及び揺動角度と、今回の各検知電極１３間での接触・非接触及び揺動角度と、が１つでも同一でなければＳａ０５のステップに進む。
【００３９】
Ｓａ０５のステップにおいて、計測制御回路１４は、各検知電極１３の接触・被接触及び揺動角度と、今回の各検知電極１３の接触・非接触及び揺動角度と、が１つでも同一ではなかったことによって、着座姿勢想定処理を行う。具体的には、計測制御回路１４は、ＲＴＣ２３から取得した現在時刻と、今回の各検知電極１３の接触・非接触と、揺動角度と、を図５に示す着座姿勢記憶テーブルの最下段に追加記憶させる。次に、計測制御回路１４は、現在時刻と今回の各検知電極１３間の接触・非接触及び揺動角度とを、着座姿勢の情報として送信器１６から無線通信によって解析装置１９に向けて送信する。
【００４０】
そして、解析制御回路２０は、受信器７で受信した今回の各検知電極１３の接触・非接触及び揺動角度に基づいて、図３（ａ）〜図３（ｄ）に示すような各種着座姿勢を想定してＳａ０６のステップに進む。
【００４１】
Ｓａ０６のステップにおいて、解析制御回路２０は、着座情報記憶処理として、Ｓａ０５のステップで受信器で受信した現在時刻と、今回の各検知電極１３の接触・非接触と、揺動角度と、を記憶部２１に記憶させ、今回の処理を終了してＳａ０１のステップに戻る。
【００４２】
尚、記憶部２１に記憶させた着座姿勢の情報を図示しないディスプレイ等に表示させることで、ほぼリアルタイムで着座姿勢の変化を分かり易く表示させることもできる。
【００４３】
以上、本実施例における椅子１にあっては、簡易な構成の着座センサ１８により、安価に椅子１に着座する使用者の着座姿勢の想定を行うことができる。また、例えば、椅子１の座面に載置するクッション１２や背面に取り付けられるクッション１１等に着座センサ１８を備えることによって、これらクッション１１，１２を取り外して他の椅子１に用いることで、他の椅子１でも着座姿勢を想定することができる。
【００４４】
また、着座センサ１８は、座面の前後方向と背面の上下方向とに複数並設されているので、椅子１に着座している使用者の姿勢の前後方向の偏りを検知することができるので、例えば、使用者が座面にどの程度深く腰掛けているかや、背面にどの程度凭れかかっているか等の着座姿勢をより細かく想定することができる。
【００４５】
また、着座センサ１８は、前記座面と前記背面との左右方向に複数並設されているので、椅子１に着座している使用者の姿勢の左右方向の偏りを検知することができるので、例えば、使用者が足を組んでいるか等の着座姿勢をより細かく想定することができる。また、着座センサ１８を座面の前後方向と前記背面の上下方向とに更に複数並設させることによって、使用者が椅子１に継続して着座し続けることによる姿勢の変化を測定することができる。
【００４６】
また、背もたれ３ｄは、前後方向に揺動可能に枢支され、複数の着座センサ１８と、背凭れ１ｄの揺動角度を検知する角度センサ１０と、に基づいて使用者の着座姿勢を想定するので、背凭れ１ｄの角度を変更可能であるリクライニングチェアー等であっても、着座している使用者の着座姿勢を想定することができる。
【００４７】
また、想定された着座姿勢の情報を記憶する記憶部１５を備えることで、着座姿勢の想定状況を常時監視していなくても、着座センサ１８を用いた着座姿勢の検知終了後に、着座姿勢の情報が記憶された記憶部１５を用いることで解析等の作業を行うことができる。
【００４８】
また、記憶部１５に記憶されている着座姿勢の情報を、外部に設けられた受信器７に送信する送信器１６を有することで、受信器７で受信した着座姿勢情報を椅子１から離れた場所で着座姿勢の状態を監視することができるとともに、着座姿勢の監視を継続しながら解析等の作業を行うことができる。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、前記実施例では、想定した着座姿勢の情報を制御ボックス２２内の記憶部１５に記憶させ、更に送信器１６と受信器７を用いて着座姿勢の情報を解析装置１９に無線通信により送信したが、送信器１６と受信器７とを通信ケーブル等で接続し、解析装置１９に設けられた記憶部２１に着座姿勢の情報が直接記憶されるようにしてもよい。
【００５１】
また、前記実施例では、想定した着座姿勢の情報を制御ボックス２２内の記憶部１５に記憶させ、更に送信器１６と受信器７を用いて着座姿勢の情報を解析装置１９に無線通信により送信した後に解析制御回路２０で着座姿勢の想定を行ったが、記憶部１５をＵＳＢメモリースティック等の制御ボックス２２に対して着脱可能なストレージデバイスとして構成し、記憶部１５に着座姿勢の情報を記憶させた後に、制御ボックス２２から記憶部１５を取り外して解析装置１９に接続させるようにし、記憶部１５に記憶されている着座姿勢の情報を基に解析制御回路２０で着座姿勢の想定や解析等の作業を行うようにしてもよい。
【００５２】
また、前記実施例では、椅子１の座部１ｃに上面に検知電極１３を備えたウレタン材を内蔵したクッション１２を敷設し、背凭れ１ｄに正面に検知電極１３を備えたウレタン材を内蔵したクッション１１を取り付けたが、クッション１１，１２を設けずに検知電極１３を座部３ｃの上面と背凭れ１ｄの正面に備えてもよい。この場合は、座部１ｃの上面が座面となり、背凭れ１ｄの正面が背面となる。
【００５３】
また、前記実施例では、椅子１を背凭れ１ｄがバネの付勢力を利用して椅子１の背面側に向けて揺動可能としたリクライニングチェアーとして説明したが、椅子１は、任意に背凭れ１ｄの揺動角度を調整できるようにしたリクライニングチェアーとしても適用可能である。
【００５４】
また、前記実施例では、検知電極１３はセンサ電極とＧＮＤ電極が一対となって検知を行うものであるが、その一対となっている検知電極１３の数は、椅子１の座面や背面の大きさや着座姿勢の解析目的に応じて適宜数を選定するようにしてもよい。
【００５５】
また、前記実施例では、検知電極１３を椅子１の座面の前後方向に３つ、左右方向に２つの計６つのマトリクス状に並設し、背面には上下方向に３つ、左右方向２つの計６つのマトリクス状に並設したが、検知電極１３は着座姿勢の解析目的に応じて座面の前後方向のみや、背面の上下方向のみに並設してもよい。
【００５６】
また、前記実施例では、パーソナルコンピュータ等の解析装置１９を制御ボックス２２の送信器１６の通信可能範囲に設け、解析装置１９内の受信器７によって送信器１６から送信された着座姿勢の情報を受信して、解析制御回路２０が着座姿勢の想定と各種解析とを行うようにしたが、受信器７と記憶部とを備えたデータ収集装置によって送信器１６から送信された着座姿勢の情報を受信して、データ収集装置内の記憶部に一端着座し姿勢の情報を記憶させてからＵＳＢケーブル等により解析装置１９に着座姿勢の情報を送信して、解析制御回路２０が着座姿勢の想定と各種解析を行うようにしてもよい。
【００５７】
また、前記実施例では、計測制御回路１４は、前回の各検知電極１３の接触・被接触及び揺動角度と、今回の各検知電極１３の接触・非接触及び揺動角度と、を比較して、前回の各検知電極１３間での接触・非接触及び揺動角度と、今回の各検知電極１３間での接触・非接触及び揺動角度と、が１つでも同一でなければ着座姿勢想定処理を行うようにしたが、揺動角度は使用者の些細な動きで変化してしまうため、計測制御回路１４は、前回の揺動角度と今回の揺動角度とに設定値（例えば５度）以上の変位がなければ同一と判定するようにしてもよい。
【符号の説明】
【００５８】
１                椅子
１ｃ              座部
１ｄ              背凭れ
７                受信器
１０              角度センサ（揺動測定手段）
１１，１２        クッション
１３              検知電極
１４              計測制御回路
１５              記憶部（記憶手段）
１６              送信器
１７              バッテリ
１８              着座センサ
２２              制御ボックス
【図１】
2010233614.tif 000003
【図２】
2010233614.tif 000004
【図３】
2010233614.tif 000005
【図４】
2010233614.tif 000006
【図５】
2010233614.tif 000007
【図６】
2010233614.tif 000008